(57)【要約】      （修正有）【課題】本考案の分解洗浄可能組合せ式涼暖両用マットレスは、分離可能式の弾性層により、マットレスをさらに小さなユニットに分解し、運搬時の利便性を向上させる。【解決手段】分解洗浄可能組合せ式涼暖両用マットレスは、マットレスカバー１１、弾性層１２および軟質層１３を含む。上記マットレスカバーは、涼感生地面１１１、保温生地面１１２および側辺生地面１１３を含む。上記涼感生地面および上記保温生地面は相対して設置され、また上記側辺生地面のうち１つの縁部が涼感生地面と互いに結合し、側辺生地面のもう１つの縁部が保温生地面と互いに結合している。上記弾性層および上記軟質層は上記マットレスカバー内に設置され、弾性層は分離可能な複数の弾性ユニット１２１を含み、運搬時に事前に分解することにより移動の利便性を高め、各弾性ユニットの間は連結ユニットで互いに固定することができ、組合せおよび分解が容易である。【選択図】図１
0003217749.tif 000002
【実用新案登録請求の範囲】
【請求項１】
分解洗浄可能組合せ式涼暖両用マットレスであって、その中に、
マットレスカバーと、
該マットレスカバー内に設置され、分解組合せ可能な複数の弾性ユニットにより連結構成され、該弾性ユニットの間が１つ以上の連結ユニットにより接続および組み合わされている弾性層と、
該マットレスカバー内に設置される軟質層と、を含む、
分解洗浄可能組合せ式涼暖両用マットレス。
【請求項２】
各弾性ユニットが複数の弾性体により組成され、そのうち該弾性体が樽型ポケットである、請求項１に記載の分解洗浄可能組合せ式涼暖両用マットレス。
【請求項３】
前記各弾性ユニットが複数の弾性体により組成され、そのうち該弾性体の材料がプラスチックフォーム、ラテックス、３Ｄ立体通気ポリエステル繊維、シリコーンゴム及び高密度形状記憶材料のいずれかである、請求項１に記載の分解洗浄可能組合せ式涼暖両用マットレス。
【請求項４】
前記マットレスカバーが、涼感生地面と、該涼感生地面と相対して設置されている保温生地面と、相対する２つの結合辺を有し、そのうち、１つの結合辺が該涼感生地面の縁部に沿って結合され、もう１つの相対する結合辺が該保温生地面の縁部に沿って結合されている側辺生地面と、を有する、請求項２または３に記載の分解洗浄可能組合せ式涼暖両用マットレス。
【請求項５】
各連結ユニットが各弾性ユニット上に設置されている、請求項４に記載の分解洗浄可能組合せ式涼暖両用マットレス。  
【請求項６】
各弾性ユニットが２つの相対する横臥面および隣接する４つの連接面を有し、そのうち、１つ以上の前記連結ユニットが該横臥面上に設置され、１つ以上の該連結ユニットが結合部品を含む、請求項５に記載の分解洗浄可能組合せ式涼暖両用マットレス。
【請求項７】
前記結合部品が面ファスナー、スナップボタンまたはファスナーである、請求項６に記載の分解洗浄可能組合せ式涼暖両用マットレス。
【請求項８】
前記連結ユニットがマットレス内部専用カバーであり、それはファスナーを含み、該マットレス内部専用カバーの材質が高靭度弾性メッシュ生地または弾性オックスフォード生地である、請求項４に記載の分解洗浄可能組合せ式涼暖両用マットレス。
【請求項９】
前記涼感生地面の縁部と前記側辺生地面の結合辺がファスナーで互いに結合され、前記保温生地面の縁部と該側辺生地面の結合辺がもう１つのファスナーで互いに結合されている、請求項７に記載の分解洗浄可能組合せ式涼暖両用マットレス。
【請求項１０】
前記涼感生地面の縁部と前記側辺生地面の結合辺がファスナーで互いに結合され、前記保温生地面の縁部と該側辺生地面の結合辺がもう１つのファスナーで互いに結合されている、請求項８に記載の分解洗浄可能組合せ式涼暖両用マットレス。
【考案の詳細な説明】
【技術分野】
【０００１】
マットレスであり、特に分解洗浄可能組合せ式涼暖両用のマットレスを指す。
【背景技術】
【０００２】
既存のマットレスは、ベッドフレーム上に置いて、使用者が睡眠時にその上に横臥するために用いられ、これにより使用者の背部を支持し、使用者に快適な横臥環境を提供して睡眠品質を向上させるものである。
【０００３】
しかし、既存のマットレスの構造は一体成形となっており、運搬過程において、マットレス全体を担ぎ上げて移動しなければならず、また通常、既存のマットレスの長さ・幅等のサイズはみな一般成人の体型を超えたものであるため、２人がかりで力を合わせなければスムーズに運搬することができず、相当不便である。
また運搬ルート上において、比較的狭い階段またはエレベータがあったり、家の中の部屋のドアが小さ過ぎたりすると、運搬の困難度が増し、ひどい場合にはクレーンで吊り上げなければならず、さらにはどうしても運搬することができずに諦めるしかない等、作業上の困難が生じるだけでなく、容易に浪費につながっている。
【考案の概要】
【考案が解決しようとする課題】
【０００４】
マットレス運搬過程における利便性を高めるため、本考案は、分離可能式の弾性層により、マットレスをさらに小さなユニットに分解することができるため、運搬時の利便性を向上させることができる、分解洗浄可能組合せ式涼暖両用マットレスを提供する。
【課題を解決するための手段】
【０００５】
上記目的を達成するため、本考案の分解洗浄可能組合せ式涼暖両用マットレスは、マットレスカバーと、該マットレスカバー内に設置され、分解組合せ可能な複数の弾性ユニットにより連結構成され、該弾性ユニットの間が１つ以上の連結ユニットにより接続および組み合わされている弾性層と、上記マットレスカバー内に設置される軟質層とを含む。
【考案の効果】
【０００６】
上記弾性層は、さらに小さな弾性ユニットに分解することが可能であり、上記マットレスを運搬する前に、先に該弾性層を各弾性ユニットに分解しておくと、運搬時にさらなる省力化が可能であり、また家や部屋のドアが小さ過ぎる、階段が狭すぎる等の影響を受けにくく、さらには比較的小さなエレベータにも搬入可能で、運搬過程がより楽になり、利便性が高まる。
また各弾性ユニットの相互連結方式として、面ファスナー・スナップボタン・ファスナーまたはマットレス内部専用カバーを利用して組み合わせて固定することが可能であり、組み合わせる時にしっかりと固定しても、苦労せず簡単に分解することができる。
【図面の簡単な説明】
【０００７】
【図１】本考案の分解洗浄可能組合せ式涼暖両用マットレスの実施例１の立体分解図である。
【図２】本考案の実施例２の立体分解図である。
【図３】本考案の連結ユニットの好ましい実施例１の概略図である。
【図４】本考案の連結ユニットの好ましい実施例２の概略図である。
【図５】本考案の連結ユニットの好ましい実施例３の概略図である。
【図６】本考案の連結ユニットの好ましい実施例４の概略図である。
【図７】本考案の図１に示す７の部分の拡大イメージ図である。
【図８】本考案の図１に示す８の部分の拡大イメージ図である。
【考案を実施するための形態】
【０００８】
[実施例]
図１を参照されたい。本考案は、分解洗浄可能組合せ式涼暖両用マットレスであり、その中には、マットレスカバー１１、弾性層１２および軟質層１３を含む。
【０００９】
上記マットレスカバー１１には、涼感生地面１１１、保温生地面１１２および側辺生地面１１３を含む。上記保温生地面１１２は、上記涼感生地面１１１と相対して設置されている。
上記側辺生地面１１３は、相対する２つの結合辺を有し、好ましい実施例において、該結合辺にはファスナーが設置されており、そのうち、１つの結合辺は上記涼感生地面１１１の縁部に沿ってファスナーで結合され、もう１つの結合辺は上記保温生地面１１２の縁部に沿ってもう１つのファスナーで結合されている。
【００１０】
上記弾性層１２と上記軟質層１３は、上記涼感生地面１１１と上記保温生地面１１２の間に設置され、かつ上記側辺生地面１１３により囲繞されている。好ましい実施例において、上記軟質層１３は、上記保温生地面１１２に接近して設置され、上記弾性層１２は、上記涼感生地面１１１に接近して設置されているが、これに限らないものとする。
上記弾性層１２は、複数の弾性ユニット１２１を含む。各弾性ユニット１２１は、複数の弾性体により組成することが可能で、また各弾性ユニット１２１の間は１つ以上の連結ユニットにより連結され組み立てられており、該弾性体は、それぞれ樽型ポケット、プラスチックフォーム、ラテックス、３Ｄ立体通気ポリエステル繊維、シリコーンゴムまたは高密度記憶材料を組み合わせてつくることが可能である。好ましい実施例において、上記弾性ユニット１２１の数量は４つであるが、これに限らないものとする。
さらに、図２を参照されたい。上記弾性層１２は、複数の弾性ユニット１２１が互いに前後左右に延在するように組み合わされてできている。
【００１１】
好ましい実施例において、上記涼感生地面１１１は、メッシュ生地または涼感生地である。図７に示すように、上記メッシュ生地とは、その網目が肉眼ではっきりと識別できるものを指す。
メッシュ生地上の網目は比較的大きいため、空気が網目を通じて流通し、放熱効率を高め、使用者に涼しく爽やかで快適な横臥環境を実感させることができる。また上記涼感生地とは、生地の繊維内に比熱が低い鉱物の粉末を混合させ、または生地の繊維に親水性の加工処理を施したものを指し、涼感生地の熱伝導効率を上げることにより、放熱効果を高めている。
【００１２】
図８を参照されたい。ここで示すように、上記保温生地面１１２とは、生地の密度が比較的高い布を指し、これにより生地内の空気の流通を減少させ、より優れた保温効果を提供する。好ましい実施例において、上記保温生地面１１２は、合成繊維生地、綿生地または混紡生地である。
【００１３】
好ましい実施例において、上記軟質層１３は、繊維綿層、フェザー層またはダウン層である。上記軟質層１３は、上記保温生地面１１２と直接接触するため、使用者が該保温生地面１１２上に横臥する時、該軟質層１３と該保温生地面１１２が一緒に熱量を蓄積することができ、これにより使用者の体温を維持し、暖かく快適な横臥環境を作り出すことができる。
【００１４】
図３を参照されたい。本考案の連結ユニットの好ましい実施例１において、各弾性ユニット１２１は直方体であり、かつ各弾性ユニット１２１の間は複数の連結ユニット３１を利用して互いに結合することが可能で、該連結ユニット３１は該弾性ユニット１２１の上記横臥面２１上に設置され、かつ該連結ユニット３１の一部分は上記結合辺の外に延在する。例を挙げて言うと、上記弾性ユニット１２１は、２つの相対する横臥面２１および互いに隣接する４つの連接面２２を有し、上記連結ユニット３１上には結合部品が備えられ、もう１つの対応する上記弾性ユニット１２１の該横臥面２１上には対応する結合部品が備えられている。
連結ユニットの好ましい実施例１において、上記弾性ユニット１２１の上記横臥面２１上の結合部品は、第一面ファスナー３３であり、もう１つの弾性ユニット１２１の１つ以上の連結ユニット３１上の結合部品は、第二面ファスナー３５である。上記第一面ファスナー３３をフック面、上記第二面ファスナー３５をループ面とすることができるが、これに限らないものとする。
上記マットレスを組み合わせる時、各弾性ユニット１２１のそれぞれの対応する各連接面２２が互いに貼り合わせられ、同時に各連結ユニット３１上の上記第一面ファスナー３３と上記第二面ファスナー３５が互いに接触し貼り付けられることにより、２つの弾性ユニット１２１を固定する。または、上記弾性ユニット１２１のうち、１つの連結ユニット３１上に、面ファスナーのフック面を設置し、同一の弾性ユニット１２１のもう１つの連結ユニット３１上に面ファスナーのループ面を設置することで、各弾性ユニット１２１を連結する時に、より頑丈なものにすることができる。
上記結合済みの弾性ユニット１２１を分離する時は、隣接する２つの弾性ユニット１２１の間の上記第一面ファスナー３３および上記第二面ファスナー３５を剥がすだけで、簡単に各弾性ユニット１２１を分離させることができ、これによりマットレスの体積を縮小させ、運搬の利便性を高めることができるようになるのと同時に、頻繁に使用することによってマットレスの間の隙間の高さが揃わなくなり、横臥が快適でなくなるといった問題が発生しなくなる。
【００１５】
図４を参照されたい。本考案の連結ユニットの好ましい実施例２において、連結ユニット４１上の結合部品は第一スナップボタン４５であり、もう１つの弾性ユニット１２１の上記横臥面２１上の結合部品は第二スナップボタン４３である。各第一スナップボタンを雄側スナップ、各第二スナップボタン４３を雌側スナップとすることができるが、これに限らないものとする。
上記マットレスを組み合わせる時、それぞれ対応する第一スナップボタン４５および第二スナップボタン４３が互いに係合し固定される。または、１つの弾性ユニット１２１の上記横臥面２１上に同時に雄側スナップおよび雌側スナップを設置し、もう１つの弾性ユニット１２１の各連結ユニット４１にそれぞれ雄側スナップおよび雌側スナップを設置することで、各弾性ユニット１２１を連結する時に、より頑丈なものにすることができる。上記弾性ユニット１２１を組み合わせる時、各第一スナップボタン４５を対応する各第二スナップボタン４３と互いに係合させると、上記弾性ユニット１２１を結合させることができる。上記弾性ユニット１２１を分離させる時は、各第一スナップボタン４５および各第二スナップボタン４３を分離するだけで、簡単に上記弾性ユニット１２１を分解することができる。
【００１６】
図５を参照されたい。本考案の連結ユニットの好ましい実施例３において、上記結合部品をファスナーとすることができる。例を挙げて言うと、図５に示すように、弾性ユニット１２１上に４本の第一ファスナー部品５１を有し、各第一ファスナー部品５１はそれぞれ２つの連接面２２の２つの長辺上に設置され、各第一ファスナー部品５１は互いに分離しており繋がっていない。
もう１つの弾性ユニット１２１上には、４本の第二ファスナー部品５２を有し、各第二ファスナー部品５２はそれぞれ２つの連接面２２の２つの長辺上に設置され、各第二ファスナー部品５２は互いに分離しており繋がっていない。各弾性ユニット１２１を結合する時、上記第一ファスナー部品５１がそれぞれ対応し隣接する第二ファスナー部品５２と互いに結合されることにより、各弾性ユニット１２１を固定することができる。
【００１７】
図６を参照されたい。本考案の連結ユニットの好ましい実施例４において、上記連結ユニット３１はマットレス内部専用カバーであり、これにシングルファスナーまたはダブルファスナーを設置することができ、そのうち、上記マットレス内部専用カバーの材質は、高靭度弾性メッシュ生地または弾性オックスフォード生地とすることができる。
本実施例において、上記弾性ユニット１２１は配列に基づいて上記マットレス内部専用カバーにセットすることができ、上記マットレス内部専用カバーのサイズは、組合せ後のマットレスのサイズと同じである。これは、上記弾性ユニット１２１を固定するのに用いられ、横臥時に滑り動くことにより歪みが生じるのを防止する。上記弾性ユニット１２１を分解する時は、上記マットレス内部専用カバーのファスナーを開け、直接該弾性ユニット１２１を取り出すだけで良い。
【００１８】
上記弾性層１２は、体積のさらに小さい弾性ユニット１２１に分離することができるため、マットレスの運搬が必要な時、該弾性層１２を該弾性ユニット１２１に分解することができ、家や部屋のドアまたは進行ルートが狭すぎることによって生じる移動不能という問題を防止することができる。
体積の縮小とは、各弾性ユニット１２１それぞれの重量がもとのマットレスより軽いことを意味し、運搬過程をさらに楽なものにすることができる。また各弾性ユニット１２１それぞれの連結方式には、面ファスナー・スナップボタン・ファスナーまたはマットレス内部専用カバー等の結合部品があり、結合方式の自由度が高く、組み合わせる時に非常に頑丈にすることができる一方、分解時の利便性も兼ね備えている。
【符号の説明】
【００１９】
１１    マットレスカバー
１１１  涼感生地面
１１２  保温生地面    
１１３  側辺生地面
１２    弾性層
１２１  弾性ユニット
１３    軟質層
２１    横臥面
２２    連接面
３１    連結ユニット
３３    第一面ファスナー
３５    第二面ファスナー
４１    連結ユニット
４３    第一スナップボタン
４５    第二スナップボタン
５１    第一ファスナー部品
５２    第二ファスナー部品
【図１】
0003217749.tif 000003
【図２】
0003217749.tif 000004
【図３】
0003217749.tif 000005
【図４】
0003217749.tif 000006
【図５】
0003217749.tif 000007
【図６】
0003217749.tif 000008
【図７】
0003217749.tif 000009
【図８】
0003217749.tif 000010